(57)【要約】【課題】製造コストを抑えて様々な設置姿勢に対応可能な送風装置を得ること。【解決手段】送風装置５０は、吹出口１３と吸込口１１とが形成された直方体形状の本体１と、本体１の内部に収容されて吸込口１１から吹出口１３に向かう空気流を発生させる送風機と、本体１の内部であって、空気流の経路上に設けられた空気清浄装置と、を備え、吸込口１１は、本体のうち互いに反対の方向を向く第１面３１側および第２面３２側に形成され、吹出口１３は、第１面３１および第２面３２のどちらとも異なる第３面３３に形成されている。【選択図】図６
2017180924.tif 000002
【特許請求の範囲】
【請求項１】
吹出口と吸込口とが形成された直方体形状の本体と、
前記本体の内部に収容されて前記吸込口から前記吹出口に向かう空気流を発生させる送風機と、
前記本体の内部であって、前記空気流の経路上に設けられた空気清浄装置と、を備え、
前記吸込口は、前記本体のうち互いに反対の方向を向く第１面側および第２面側に形成され、
前記吹出口は、前記第１面および前記第２面のどちらとも異なる第３面に形成されていることを特徴とする送風装置。
【請求項２】
前記第１面および前記第２面には段差が形成されており、
前記吸込口は、前記段差の底部に形成されていることを特徴とする請求項１に記載の送風装置。
【請求項３】
前記第１面および前記第２面には、溝が形成されており、
前記吸込口は前記溝に形成されていることを特徴とする請求項１に記載の送風装置。
【請求項４】
前記本体の内部に設けられて前記空気清浄装置を制御する制御回路をさらに備え、
前記第３面側から見た場合に、前記空気清浄装置と前記制御回路が重ねて配置されることを特徴とする請求項１から３のいずれか１つに記載の送風装置。
【請求項５】
前記吹出口を覆い、開閉可能かつ着脱可能とされた化粧グリルをさらに備え、
前記化粧グリルを開いた状態および取り外した状態で、前記吹出口を通して前記空気清浄装置を前記本体に挿抜可能であることを特徴とする請求項１から４のいずれか１つに記載の送風装置。
【発明の詳細な説明】
【技術分野】
【０００１】
本発明は、空気清浄装置で清浄した空気を送風する送風装置に関する。
【背景技術】
【０００２】
空気を送風する送風装置には、脱臭フィルター、電気集塵装置、イオン発生装置に代表される空気清浄装置を備えるものがある。また、このような送風装置には、押入れおよび玄関収納などの収納空間に設置されるものがある。収納空間に換気装置を設置する場合には、収納空間内の天井面または棚板の下面に送風装置を取り付ける天吊り設置で設置されるのが一般的である。この場合、送風装置の吸込口は底面に形成され、吹出口は底面または側面に形成される構成が一般的である。特許文献１には、吸込口および吹出口の両方が送風装置の底面に形成された構成が開示されている。
【先行技術文献】
【特許文献】
【０００３】
【特許文献１】特許第５８０９００９号公報
【発明の概要】
【発明が解決しようとする課題】
【０００４】
収納空間における送風装置の設置方法には、天吊り設置以外にも棚板上に設置される据え置き設置が採用される場合がある。また、据え置き設置には、吸込口が形成された底面を水平とする横置き設置と、吸込口が形成された底面を垂直とする縦置き設置がある。しかしながら、上述したような天吊り設置が前提とされた構成の送風装置では、横置き設置した場合に、底面に形成された吸込口が塞がれてしまうため、十分な送風性能を得ることが難しい。また、流路抵抗の増大によって機器の故障を招く場合がある。また、縦置き設置とした場合にも、収納空間の壁面によって吸込口が塞がれてしまう場合があるため、横置き設置した場合と同様の問題が生じる場合がある。また、送風装置を上下反転および左右反転させて設置可能な内部構造とした場合には、構造の複雑化によるコストの上昇を招いてしまう。
【０００５】
本発明は、上記に鑑みてなされたものであって、製造コストを抑えて様々な設置姿勢に対応可能な送風装置を得ることを目的とする。
【課題を解決するための手段】
【０００６】
上述した課題を解決し、目的を達成するために、本発明にかかる送風装置は、吹出口と吸込口とが形成された直方体形状の本体と、本体の内部に収容されて吸込口から吹出口に向かう空気流を発生させる送風機と、本体の内部であって、空気流の経路上に設けられた空気清浄装置と、を備える。吸込口は、本体のうち互いに反対の方向を向く第１面側および第２面側に形成され、吹出口は、第１面および第２面のどちらとも異なる第３面に形成されている。
【発明の効果】
【０００７】
本発明によれば、製造コストを抑えて様々な設置姿勢に対応可能な送風装置を得ることができるという効果を奏する。
【図面の簡単な説明】
【０００８】
【図１】本発明の実施の形態１にかかる送風装置の正面図であって、天吊り設置した状態を示す図
【図２】実施の形態１にかかる送風装置の正面図であって、縦置き設置した状態を示す図
【図３】実施の形態１にかかる送風装置の正面図であって、横置き設置した状態を示す図
【図４】実施の形態１にかかる送風装置を前面側から見た斜視図
【図５】実施の形態１にかかる送風装置を背面側から見た斜視図
【図６】実施の形態１にかかる送風装置の側面図
【図７】実施の形態１にかかる送風装置の平面図であって、外郭を透過させて内部構造を示す図
【図８】実施の形態１にかかる送風装置を前面側から見た斜視図であって、化粧グリルを開いた状態を示す図
【図９】実施の形態１にかかる送風装置の化粧グリル取付け部分を拡大した側面図
【図１０】実施の形態１における本体の軸部分を拡大した斜視図
【図１１】実施の形態１における埃取フィルターの斜視図
【図１２】実施の形態１にかかる送風装置において、埃取フィルターを製品上面から挿入する方法を示した斜視図
【図１３】実施の形態１にかかる送風装置において、埃取フィルターを製品下面から挿入する方法を示した斜視図
【図１４】実施の形態１における空気清浄装置の斜視図
【図１５】実施の形態１における空気清浄装置の斜視図
【図１６】実施の形態１における空気清浄装置が備える高電圧部の斜視図
【図１７】実施の形態１における空気清浄装置の斜視図であって、給電部を示す図
【図１８】実施の形態１にかかる送風装置の正面図であって、化粧グリルが開いた状態を示す図
【図１９】実施の形態１にかかる送風装置を前面側から見た斜視図であって、化粧グリルが開いた状態を示す図
【図２０】実施の形態１にかかる送風装置を前面側から見た斜視図であって、空気清浄装置を取り外した状態を示す図
【図２１】本発明の実施の形態２にかかる送風装置の斜視図
【図２２】実施の形態２にかかる送風装置の平面図
【図２３】実施の形態２にかかる送風装置の側面図
【図２４】実施の形態２にかかる送風装置の斜視図であって、横置き設置した状態を示す図
【発明を実施するための形態】
【０００９】
以下に、本発明の実施の形態にかかる送風装置を図面に基づいて詳細に説明する。なお、この実施の形態によりこの発明が限定されるものではない。
【００１０】
実施の形態１．
図１は、本発明の実施の形態１にかかる送風装置の正面図であって、天吊り設置した状態を示す図である。図２は、実施の形態１にかかる送風装置の正面図であって、縦置き設置した状態を示す図である。図３は、実施の形態１にかかる送風装置の正面図であって、横置き設置した状態を示す図である。
【００１１】
本実施の形態１にかかる送風装置５０は、例えば押入れまたはシューズクロークといった小空間である収納空間に設置されることが想定された製品である。収納空間での設置姿勢には、図１に示すように収納棚板１８に天吊り設置する場合、図２に示すように収納棚板１８に縦置き設置する場合、図３に示すように横置き設置する場合が想定される。
【００１２】
送風装置５０は、収納空間内の空気を循環させる循環型の送風装置である。図１に示すように、天吊り設置では、吊り金具１７、吊り金具固定ねじ１９、製品固定ねじ２０によって収納棚板１８に送風装置５０が取付けられる。なお、以下の説明で用いる方向を示す用語は、図１に示す設置姿勢における方向を基準とし、例えば上側の面を第２面である製品上面３２、下側の面を第１面である製品下面３１とする。図２に示すように、縦置き設置では、正面視において第３面である前面３３が縦長となる姿勢で収納棚板１８上に送風装置５０が設置される。図３に示すように、横置き設置では、正面視において前面３３が横長となる姿勢で収納棚板１８上に送風装置５０が設置される。
【００１３】
図４は、実施の形態１にかかる送風装置を前面３３側から見た斜視図である。図５は、実施の形態１にかかる送風装置を背面３４側から見た斜視図である。図６は、実施の形態１にかかる送風装置の側面図である。図７は、実施の形態１にかかる送風装置の平面図であって、外郭を透過させて内部構造を示す図である。
【００１４】
送風装置５０は、樹脂製で直方体形状の本体１と、本体１の内部に収容された送風機２と、送風機２の下流側に配置される空気清浄装置５と、前面３３に取り付けられた化粧グリル７とで構成されている。送風機２は、モーター８と、このモーター８の駆動軸に差込結合されたファン３とを有する。本実施の形態１では、送風機２に軸流ファンを用いているが、これに限られず、遠心ファンであっても構わない。
【００１５】
本体１は、箱体形状の本体ベース１ａと本体カバー１ｂとで構成される。本体１の前面３３には、空気を吹き出す吹出口１３が形成されている。また、本体１のうち互いに反対の方向を向く製品下面３１と製品上面３２のそれぞれには、空気を吸い込む吸込口１１が形成されている。送風機２の運転、すなわちモーター８の駆動によってファン３が回転されると、本体の内部には吸込口１１から吹出口１３に向かう空気流が発生する。吸込口１１には、図５に示すように埃取フィルター９が設けられており、吸込口１１から吸い込まれる空気に含まれる塵を集塵する。
【００１６】
吸込口１１が、製品下面３１と製品上面３２の両方に形成されているので、一方の吸込口１１が収納棚板１８または壁面に近接しても、他方の吸込口１１から空気を吸い込むことができる。
【００１７】
また、図６に示すように、製品下面３１と製品上面３２のそれぞれには、前面３３側よりも背面３４側のほうが、製品下面３１と製品上面３２との間隔が狭くなるように段差が設けられている。製品下面３１と製品上面３２の間隔が広い部分を上部１ｉとし、間隔が狭い部分を底部１ｃとすると、吸込口１１は底部１ｃに形成されている。底部１ｃに吸込口１１が形成されているので、上部１ｉが収納棚板１８または壁面に密着した場合であっても、収納棚板１８または壁面と吸込口１１との間に隙間が形成されるため、空気の吸込が可能となる。
【００１８】
本体１の内部のうち、底部１ｃの間となる領域が部品収納部１ｄとなり、部品収納部１ｄには制御回路４が搭載される。この配置によって、前面３３側から見た場合に、空気清浄装置５と制御回路４とが重ねて配置される。制御回路４は、製品の平面視における面積を小さくするために、送風機２および空気清浄装置５に対して製品上面３２側に設けられることが多い。すなわち、前面３３側から見た場合に、空気清浄装置５と制御回路４とが並べて配置されることが多いが、本実施の形態１の送風装置５０のように、収納空間に設置することが想定される場合には、製品上面３２と製品下面３１との間隔、すなわち製品高さを低くすることがメリットとなる。そのため、送風装置５０では、底部１ｃ同士の間となる領域、すなわち送風機２よりも背面３４側に制御回路４が配置される。
【００１９】
また、送風装置５０は、電源プラグ１６を備えている。電源プラグ１６をコンセントに差し込むだけで運転可能なため、一般的な電気工事が不要であり施工が容易である。
【００２０】
化粧グリル７は、送風機２の意匠性の向上、通電時の空気清浄装置５へ使用者が接触することを防ぐことを主な目的として設けられている。化粧グリル７は樹脂製の一体成形物である。
【００２１】
図８は、実施の形態１にかかる送風装置５０を前面３３側から見た斜視図であって、化粧グリル７を開いた状態を示す図である。図９は、実施の形態１にかかる送風装置５０の化粧グリル７取付け部分を拡大した側面図である。図１０は、実施の形態１における本体１の軸１ｅ部分を拡大した斜視図である。
【００２２】
図９に示すように、化粧グリル７に形成された軸受穴７ａに、本体１に形成された軸１ｅが嵌まることで、化粧グリル７が本体１に固定される。また、図８に示す化粧グリル７に形成された爪７ｂが、本体１に形成された爪嵌合部１ｆに引っ掛かることで、化粧グリル７が閉じた状態が維持される。そして、化粧グリル７に形成された爪７ｂを、本体１の爪嵌合部１ｆから外すことで、軸受穴７ａおよび軸１ｅを中心として化粧グリル７を回転させて、化粧グリル７を開くことができる。
【００２３】
空気清浄装置５は、本体１の前面３３に形成された吹出口１３を通して、本体１に挿抜可能とされている。そのため、化粧グリル７を開くことで、本体１の内部に収容された空気清浄装置５を取り外してメンテナンスをすることが可能となっている。
【００２４】
図１１は、実施の形態１における埃取フィルター９の斜視図である。図１２は、実施の形態１にかかる送風装置５０において、埃取フィルター９を製品上面３２から挿入する方法を示した斜視図である。図１３は、実施の形態１にかかる送風装置５０において、埃取フィルター９を製品下面３１から挿入する方法を示した斜視図である。
【００２５】
図１２および図１３に示すように、本体１には、吸込口１１に設けられる埃取フィルター９を固定するための固定部１ｇが４箇所設けられている。この固定部１ｇの間に埃取フィルター９を差し込むことで、埃取フィルター９が本体１に固定される。このとき、埃取フィルター９に設けた４箇所の突起９ａが本体１の固定部１ｇに圧入されることで、埃取フィルター９の固定が強固になり、不意の抜け落ちが防止される。
【００２６】
図１４は、実施の形態１における空気清浄装置５の斜視図である。図１５は、実施の形態１における空気清浄装置５の斜視図であって、脱臭フィルター搭載部を示す図である。図１６は、実施の形態１における空気清浄装置５が備える高電圧部の斜視図である。図１７は、実施の形態１における空気清浄装置５の斜視図であって、給電部を示す図である。
【００２７】
空気清浄装置５は、送風機２の運転によって発生する空気流の経路上、より具体的には送風機２の下流側に設けられる。具体的には、図７に示すように、本体１の吹出口１３付近に設けられる。空気清浄装置５は、脱臭フィルター６を有しており、空気清浄装置５を通して、送風機２から吹き出される空気に対して、電気集塵による集塵および脱臭を行う。
【００２８】
空気清浄装置５は、高電圧部５ａを搭載している。高電圧部５ａは放電電極５ｂと対向電極５ｃとを有する。放電電極５ｂは、例えばタングステンのようにワイヤ状で強度がある電気伝導体とする。対向電極５ｃは、例えばステンレスのような電気伝導体とする。放電電極５ｂと対向電極５ｃは埃付着時に水洗いにより流せるよう水で錆びにくい材質とする。高電圧部５ａは、図１６に示すように、放電電極５ｂを両側から挟む形で対向電極５ｃを配置する構造とし、放電電極５ｂ(電圧側)と対向電極５ｃ(グラウンド側)に高電圧をかけ、放電電界空間を生成する。また、空気清浄装置５は、図１７に示すように、給電部５ｄを下面に備え、メンテナンス時などで外す時に手を掛ける手掛部５ｆを備える。
【００２９】
図１８は、実施の形態１にかかる送風装置５０の正面図であって、化粧グリル７が開いた状態を示す図である。図１９は、実施の形態１にかかる送風装置５０を前面３３側から見た斜視図であって、化粧グリル７が開いた状態を示す図である。図２０は、実施の形態１にかかる送風装置５０を前面３３側から見た斜視図であって、空気清浄装置５を取り外した状態を示す図である。
【００３０】
空気清浄装置５は、本体１内に取り付けられることで、図２０に示す空気清浄装置用端子台１４に給電部５ｄが接続される。図７に示すように、空気清浄装置用端子台１４には昇圧トランス１５が搭載されている。昇圧トランス１５によって高電圧に変換された電力が、給電部５ｄと空気清浄装置用端子台１４との接続部分を介して空気清浄装置５に給電される。
【００３１】
空気清浄装置５は、図１８に示す本体１の空気清浄装置固定部１ｈに一端部３５を引掛けた状態で、空気清浄装置５の他端部３６に形成された引掛爪５ｅを、図１９に示す空気清浄装置用端子台１４の引掛部１４ａに嵌合することで、本体１に固定される。したがって、空気清浄装置５の着脱は、手掛部５ｆを持って引き抜き、差し込みすることで容易に着脱ができる構造となる。
【００３２】
以上説明した送風装置５０であれば、図１に示した天吊り設置以外にも、図２に示した縦置き設置および図３に示した横置き設置を行うことができる。
【００３３】
縦置き設置であれば、製品上面３２および製品下面３１のいずれか一方の面が壁面に近接した場合であっても、他方の面に形成された吸込口１１から空気を吸い込むことが可能である。また、前面３３に形成された吹出口１３から円滑に空気が吹き出される。また、吸込口１１が底部１ｃに形成されているので、壁面と吸込口１１との間に隙間が形成されるため、その隙間を通じて吸込口１１から空気を吸い込むことも可能である。これにより、送風性能の低下を抑制し、機器の故障の発生も抑えることができる。このように、設置位置に合わせて送風装置５０を上下反転および左右反転させなくとも送風性能の低下を抑制することができるので、反転設置を想定した複雑な内部構造を採用せずに済む。これにより、製造コストの抑制を図ることができる。
【００３４】
また、横置き設置であれば、製品下面３１が収納棚板１８に近接するが、製品上面３２に形成された吸込口１１から空気を吸い込むことが可能である。また、前面３３に形成された吹出口１３から円滑に空気が吹き出される。また、吸込口１１が底部１ｃに形成されているので、製品下面３１側で収納棚板１８と吸込口１１との間に隙間が形成されるため、その隙間を通じて吸込口１１から空気を吸い込むことも可能である。これにより、送風性能の低下を抑制し、機器の故障の発生も抑えることができる。このように、設置位置に合わせて送風装置５０を上下反転および左右反転させなくとも送風性能の低下を抑制することができるので、反転設置を想定した複雑な内部構造を採用せずに済む。これにより、製造コストの抑制を図ることができる。なお、天吊り設置の場合にも、製品上面３２に形成された吸込口１１からも、収納棚板１８と吸込口１１との間に形成された隙間を通じて空気を吸い込むことができるため、送風性能の向上を図ることができる。
【００３５】
実施の形態２．
図２１は、本発明の実施の形態２にかかる送風装置５１の斜視図である。図２２は、実施の形態２にかかる送風装置５１の平面図である。図２３は、実施の形態２にかかる送風装置５１の側面図である。図２４は、実施の形態２にかかる送風装置５１の斜視図であって、横置き設置した状態を示す図である。なお、上記実施の形態１と同様の符号については、同一の符号を用いて詳細な説明を省略する。
【００３６】
実施の形態２にかかる送風装置５１では、送風機２および内部部品の配置は実施の形態１と同じであるが、図２１から図２４に示すように、製品上面３２および製品下面３１には、溝１２が形成されている。また、吸込口１１は溝１２の内部に形成されている。
【００３７】
したがって、図２４に示すように送風装置５１を横置き設置した場合であっても、製品上面３２に形成された吸込口１１から空気を吸い込めるのに加えて、製品下面３１に形成された吸込口１１からも溝１２を通じて空気を吸い込むことができる。図示は省略するが、送風装置５１を縦置き設置した場合であって、製品上面３２または製品下面３１に壁面が近接している場合であっても、溝１２を通じて吸込口１１から空気を吸い込むことができる。これにより、送風性能の低下を抑制し、機器の故障の発生も抑えることができる。このように、設置位置に合わせて送風装置５１を上下反転および左右反転させなくとも送風性能の低下を抑制することができるので、反転設置を想定した複雑な内部構造を採用せずに済む。これにより、製造コストの抑制を図ることができる。なお、天吊り設置の場合にも、製品上面３２に形成された吸込口１１からも、溝１２を通じて空気を吸い込むことができるため、送風性能の向上を図ることができる。
【００３８】
なお、本実施の形態２では、本体１の全周にわたって溝１２が形成されているが、溝１２の態様はこれに限られない。製品上面３２および製品下面３１の端部に到達するように溝１２が形成されていれば、溝１２を通じて吸込口１１から空気を吸い込むことができるので、例えば側面には溝が形成されていなくてもよいし、溝１２が前面３３または背面３４側の端部に到達するように形成されていてもよい。
【００３９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４０】
１  本体、１ａ  本体ベース、１ｂ  本体カバー、１ｃ  底部、１ｄ  部品収納部、１ｅ  軸、１ｆ  爪嵌合部、１ｇ  固定部、１ｈ  空気清浄装置固定部、１ｉ  上部、２  送風機、３  ファン、４  制御回路、５  空気清浄装置、５ａ  高電圧部、５ｂ  放電電極、５ｃ  対向電極、５ｄ  給電部、５ｅ  引掛爪、５ｆ  手掛部、６  脱臭フィルター、７  化粧グリル、７ａ  軸受穴、７ｂ  爪、８  モーター、９  埃取フィルター、９ａ  突起、１１  吸込口、１２  溝、１３  吹出口、１４  空気清浄装置用端子台、１４ａ  引掛部、１５  昇圧トランス、１６  電源プラグ、１７  吊り金具、１８  収納棚板、１９  吊り金具固定ねじ、２０  製品固定ねじ、３１  製品下面（第１面）、３２  製品上面（第２面）、３３  正面（第３面）、３４  背面、３５  一端部、３６  他端部、５０，５１  送風装置。
【図１】
2017180924.tif 000003
【図２】
2017180924.tif 000004
【図３】
2017180924.tif 000005
【図４】
2017180924.tif 000006
【図５】
2017180924.tif 000007
【図６】
2017180924.tif 000008
【図７】
2017180924.tif 000009
【図８】
2017180924.tif 000010
【図９】
2017180924.tif 000011
【図１０】
2017180924.tif 000012
【図１１】
2017180924.tif 000013
【図１２】
2017180924.tif 000014
【図１３】
2017180924.tif 000015
【図１４】
2017180924.tif 000016
【図１５】
2017180924.tif 000017
【図１６】
2017180924.tif 000018
【図１７】
2017180924.tif 000019
【図１８】
2017180924.tif 000020
【図１９】
2017180924.tif 000021
【図２０】
2017180924.tif 000022
【図２１】
2017180924.tif 000023
【図２２】
2017180924.tif 000024
【図２３】
2017180924.tif 000025
【図２４】
2017180924.tif 000026